(57)【要約】【課題】より適切に出力信号の発散を抑制することが可能なＣＭＡ等化装置を提供する。【解決手段】ＣＭＡ等化装置は、設定されたフィルタ係数に応じて、入力された信号をフィルタリングし、得られた信号を出力する適応フィルタと、適応フィルタから出力された信号を演算し、得られた出力信号を出力する出力計算部と、目標値に対する出力信号の誤差を計算し、計算結果である誤差値を出力する誤差計算部と、誤差値がしきい値以上である期間を積算し、この積算値から誤差値がしきい値未満である期間を減算することにより得られたカウント値を逐次出力するカウンタと、誤差値に基づいてフィルタ係数を計算して出力し、または、フィルタ係数を上限値に設定して出力する係数計算部と、カウント値および誤差値に基づいて、係数計算部を制御することによりフィルタ係数を制御する制御部と、を備える。【選択図】図２
2010056662.tif 000002
【特許請求の範囲】
【請求項１】
信号を等化し出力するＣＭＡ等化装置であって、
設定されたフィルタ係数に応じて、入力された信号をフィルタリングし、得られた信号を出力する適応フィルタと、
前記適応フィルタから出力された信号を演算し、得られた出力信号を出力する出力計算部と、
目標値に対する前記出力信号の誤差を計算し、計算結果である誤差値を出力する誤差計算部と、
前記誤差値がしきい値以上である期間を積算し、この積算値から前記誤差値が前記しきい値未満である期間を減算することにより得られたカウント値を逐次出力するカウンタと、
前記誤差値に基づいて前記フィルタ係数を計算して出力し、または、前記フィルタ係数を上限値に設定して出力する係数計算部と、
前記カウント値および前記誤差値に基づいて、前記係数計算部を制御することにより前記フィルタ係数を制御する制御部と、を備え、
前記制御部は、
前記誤差値が前記しきい値未満であり、前記カウント値が第１の規定値未満である場合には、前記係数計算部により前記誤差値に基づいて前記フィルタ係数を更新し、
前記誤差値が前記しきい値以上であり、前記カウント値が前記第１の規定値よりも大きい第２の規定値未満である場合には、前記係数計算部による前記フィルタ係数の更新を停止し、
前記誤差値が前記しきい値以上の状態で、前記カウント値が前記第２の規定値以上になった場合には、前記カウント値が前記第１の規定値未満になるまで、前記係数計算部により前記フィルタ係数を前記上限値に設定する
ことを特徴とするＣＭＡ等化装置。
【請求項２】
前記第２の規定値は、前記カウンタの前記カウント値の上限値であることを特徴とする請求項１に記載のＣＭＡ等化装置。
【請求項３】
前記適応フィルタは、
前記入力信号が入力され、入力された信号を遅延させて出力する第１の遅延器と、
前記第１の遅延器が出力した信号に第１のフィルタ係数を乗算して出力する第１の可変乗算器と、
前記第１の遅延器が出力した信号が入力され、入力された信号を遅延させて出力する第２の遅延器と、
前記第２の遅延器が出力した信号に第２のフィルタ係数を乗算して出力する第２の可変乗算器と、
前記第１の可変乗算器の出力と前記第２の可変乗算器の出力とを加算し、この加算に基づいて得られた信号を前記出力計算部に出力する加算器と、有する
ことを特徴とする請求項１または２に記載のＣＭＡ等化装置。
【請求項４】
前記適応フィルタが複数設けられていることを特徴とする請求項１ないし３の何れかに記載のＣＭＡ等化装置。
【請求項５】
ＲＦ信号を受信するためのアンテナと、
前記アンテナから入力されたＲＦ信号と、ＬＯ信号とを混合するミキサ回路と、
前記ミキサ回路から入力された信号を等化し出力するＣＭＡ等化装置と、を備え、
前記ＣＭＡ等化装置は、
設定されたフィルタ係数に応じて、入力された信号をフィルタリングし、得られた信号を出力する適応フィルタと、
前記適応フィルタから出力された信号を演算し、得られた出力信号を出力する出力計算部と、
目標値に対する前記出力信号の誤差を計算し、計算結果である誤差値を出力する誤差計算部と、
前記誤差値がしきい値以上である期間を積算し、この積算値から前記誤差値が前記しきい値未満である期間を減算することにより得られたカウント値を逐次出力するカウンタと、
前記誤差値に基づいて前記フィルタ係数を計算して出力し、または、前記フィルタ係数を上限値に設定して出力する係数計算部と、
前記カウント値および前記誤差値に基づいて、前記係数計算部を制御することにより前記フィルタ係数を制御する制御部と、を有し、
前記制御部は、
前記誤差値が前記しきい値未満であり、前記カウント値が第１の規定値未満である場合には、前記係数計算部により前記誤差値に基づいて前記フィルタ係数を更新し、
前記誤差値が前記しきい値以上であり、前記カウント値が前記第１の規定値よりも大きい第２の規定値未満である場合には、前記係数計算部による前記フィルタ係数の更新を停止し、
前記誤差値が前記しきい値以上の状態で、前記カウント値が前記第２の規定値以上になった場合には、前記カウント値が前記第１の規定値未満になるまで、前記係数計算部により前記フィルタ係数を前記上限値に設定する
ことを特徴とするＣＭＡ等化システム。
【発明の詳細な説明】
【技術分野】
【０００１】
本発明は、無線通信に用いられるＣＭＡ等化装置およびＣＭＡ等化システムに関するものである。
【背景技術】
【０００２】
無線通信の分野、特にチューナにおいて、無駄なく且つ正確に情報を伝えるためには、干渉波の抑制が必要である。その干渉波を抑制する方法として、例えば、複数のアンテナを使って空間方向を制御して適応ビーム形成を行う手法や、時間方向に同様の制御を行うことで反射波によるマルチパス妨害を除去する手法がある。
【０００３】
これらの方法には、適応フィルタを用いる。例えば、そのアルゴリズムの違いによって、ＬＭＳ（Ｌｅａｓｔ  Ｍｅａｎ−Ｓｑｕａｒｅ：最小二乗平均）方式、ＲＬＳ（Ｒｅｃｕｒｓｉｖｅ  Ｌｅａｓｔ  Ｓｑｕａｒｅｓ：再帰最小二乗）方式、ＣＭＡ（Ｃｏｎｓｔａｎｔ Ｍｏｄｕｌｕｓ Ａｌｇｏｒｉｔｈｍ：定包絡アルゴリズム)方式など、様々な方式が提唱されている。
【０００４】
ここで、従来の等化装置には、平常振幅範囲の入力信号に対しては、一定周期毎に等化係数（フィルタ係数）の補正をし、一方、入力信号に大きな振幅変化やスパイク状ノイズが混入されるときには、前の等化係数を保持し、現時点での等化を停止するものがある（例えば、特許文献１参照。）。
【０００５】
しかし、この従来の等化装置は、入力信号に定常的に強電界が印加されて、定常的に振幅が変化し続けている場合には、対応できない。すなわち、入力信号（干渉信号）の電力が所望値よりも大きい場合には、該等化装置は誤った信号を捕捉し、その結果、出力信号が発散し得る。
【特許文献１】特開平７−２６４１０１号公報
【発明の開示】
【発明が解決しようとする課題】
【０００６】
本発明は、より適切に出力信号の発散を抑制することが可能なＣＭＡ等化装置を提供することを目的とする。
【課題を解決するための手段】
【０００７】
本発明の一態様に係る実施例に従ったＣＭＡ等化装置は、信号を等化し出力するＣＭＡ等化装置であって、設定されたフィルタ係数に応じて、入力された信号をフィルタリングし、得られた信号を出力する適応フィルタと、前記適応フィルタから出力された信号を演算し、得られた出力信号を出力する出力計算部と、目標値に対する前記出力信号の誤差を計算し、計算結果である誤差値を出力する誤差計算部と、前記誤差値がしきい値以上である期間を積算し、この積算値から前記誤差値が前記しきい値未満である期間を減算することにより得られたカウント値を逐次出力するカウンタと、前記誤差値に基づいて前記フィルタ係数を計算して出力し、または、前記フィルタ係数を上限値に設定して出力する係数計算部と、前記カウント値および前記誤差値に基づいて、前記係数計算部を制御することにより前記フィルタ係数を制御する制御部と、を備え、前記制御部は、前記誤差値が前記しきい値未満であり、前記カウント値が第１の規定値未満である場合には、前記係数計算部により前記誤差値に基づいて前記フィルタ係数を更新し、前記誤差値が前記しきい値以上であり、前記カウント値が前記第１の規定値よりも大きい第２の規定値未満である場合には、前記係数計算部による前記フィルタ係数の更新を停止し、前記誤差値が前記しきい値以上の状態で、前記カウント値が前記第２の規定値以上になった場合には、前記カウント値が前記第１の規定値未満になるまで、前記係数計算部により前記フィルタ係数を前記上限値に設定することを特徴とする。
【０００８】
本発明の一態様に係る実施例に従ったＣＭＡ等化システムは、ＲＦ信号を受信するためのアンテナと、前記アンテナから入力されたＲＦ信号と、ＬＯ信号とを混合するミキサ回路と、前記ミキサ回路から入力された信号を等化し出力するＣＭＡ等化装置と、を備え、前記ＣＭＡ等化装置は、設定されたフィルタ係数に応じて、入力された信号をフィルタリングし、得られた信号を出力する適応フィルタと、前記適応フィルタから出力された信号を演算し、得られた出力信号を出力する出力計算部と、目標値に対する前記出力信号の誤差を計算し、計算結果である誤差値を出力する誤差計算部と、前記誤差値がしきい値以上である期間を積算し、この積算値から前記誤差値が前記しきい値未満である期間を減算することにより得られたカウント値を逐次出力するカウンタと、前記誤差値に基づいて前記フィルタ係数を計算して出力し、または、前記フィルタ係数を上限値に設定して出力する係数計算部と、前記カウント値および前記誤差値に基づいて、前記係数計算部を制御することにより前記フィルタ係数を制御する制御部と、を有し、前記制御部は、前記誤差値が前記しきい値未満であり、前記カウント値が第１の規定値未満である場合には、前記係数計算部により前記誤差値に基づいて前記フィルタ係数を更新し、前記誤差値が前記しきい値以上であり、前記カウント値が前記第１の規定値よりも大きい第２の規定値未満である場合には、前記係数計算部による前記フィルタ係数の更新を停止し、前記誤差値が前記しきい値以上の状態で、前記カウント値が前記第２の規定値以上になった場合には、前記カウント値が前記第１の規定値未満になるまで、前記係数計算部により前記フィルタ係数を前記上限値に設定することを特徴とする。
【発明の効果】
【０００９】
本発明のＣＭＡ等化装置によれば、より適切に出力信号の発散を抑制することができる。
【発明を実施するための最良の形態】
【００１０】
ここで、図１Ａは、入力信号にインパルス性のノイズ（強電界）が印加された場合の一例を示す図である。また、図１Ｂは、入力信号に定常的なノイズ（強電界）が印加された場合の一例を示す図である。
【００１１】
入力信号（入力電界）が通常信号のレベルよりも大きくなる現象として、インパルス性のノイズ（強電界）が印加された場合（図１Ａ）や、定常的な電界急増により、入力信号のレベルそのものが大きくなった場合（図１Ｂ）が考えられる。この場合、既述のように、ＣＭＡ方式の等化信号は発散する。
【００１２】
この信号の発散を抑止する方法としては、まず、定常的な電界急増によって大きなレベルの入力が継続される場合には、発散抑止を最優先とし、強制的に出力信号を収束に導くことが必要となる。
【００１３】
一方、インパルス性のノイズによる誤制御の場合は、しばらくすると元の状態に戻る可能性がある。そのため、できるだけフィルタ係数をそのままにしておき、電界の状態が元通りになるのを待ちたい。
【００１４】
例えば、既述の従来の等化装置は、インパルス性のノイズに反応して、フィルタ係数を更新したり、リミッタをかけたりする。これにより、出力信号が発散し、ＣＭＡ等化装置が通常動作に戻れないか、または通常動作に戻るのに長時間を要することになる。
【００１５】
そこで、本発明では、ＣＭＡ方式による信号の等化を対象とし、上述のような問題を解決する。
【００１６】
すなわち、本発明に係る実施例では、より適切に出力信号の発散を抑制することが可能なＣＭＡ等化装置を提案する。
【００１７】
以下、本発明に係る実施例について図面に基づいて説明する。
【実施例１】
【００１８】
図２は、本発明の一態様である実施例１に係るＣＭＡ等化装置１００を含むＣＭＡ等化システム１０００の構成の一例を示す図である。
【００１９】
図２に示すように、ＣＭＡ等化システム１０００は、第１のアンテナ１ａと、第２のアンテナ１ｂと、第１のミキサ回路２ａと、第２のミキサ回路２ｂと、ＣＭＡ等化装置１００と、を備える。
【００２０】
第１のアンテナ１ａと第２のアンテナ１ｂとは、或る間隔で配置されている。これらの第１、第２のアンテナ１ａ、１ｂには、例えば、ＲＦ（無線周波数）信号が入力されるようになっている。
【００２１】
第１のミキサ回路２ａは、第１のアンテナ１ａから入力されたＲＦ信号と、ＬＯ（局部発振）信号とを混合するようになっている。この第１のミキサ回路２ａは、該混合により得られた混合信号の同相成分（Ｉｎ  Ｐｈａｓｅ）の信号Ｉ（１）および直交成分（Ｑｕａｄｒａｔｕｒｅ  Ｐｈａｓｅ）の信号Ｑ（１）を出力するようになっている。
【００２２】
また、第２のミキサ回路２ｂは、第２のアンテナ１ｂから入力されたＲＦ信号と、ＬＯ信号とを混合するようになっている。この第２のミキサ回路２ｂは、該混合により得られた混合信号の同相成分の信号Ｉ（２）および直交成分の信号Ｑ（２）を出力するようになっている。
【００２３】
また、ＣＭＡ等化装置１００は、第１ないし第４の入力端子３ａ〜３ｄと、第１ないし第４の適応フィルタ４ａ〜４ｄと、出力計算部５と、誤差計算部６と、カウンタ７と、制御部８と、係数計算部９と、第１、第２の出力端子１０ａ、１０ｂと、を有する。
【００２４】
第１の入力端子３ａは、信号Ｉ（１）が第１のミキサ回路２ａから入力されるようになっている。第２の入力端子３ｂは、信号Ｑ（１）が第１のミキサ回路２ａから入力されるようになっている。第３の入力端子３ｃは、信号Ｉ（２）が第２のミキサ回路２ｂから入力されるようになっている。第４の入力端子３ｄは、信号Ｑ（２）が第２のミキサ回路２ｂから入力されるようになっている。
【００２５】
第１の適応フィルタ４ａは、第１のミキサ回路２ａで混合された混合信号の同相成分の信号Ｉ（１）が第１の入力端子３ａを介して入力される。この第１の適応フィルタ４ａは、設定されたフィルタ係数に応じて、入力されたこの信号Ｉ（１）をフィルタリング（等化）し、得られた信号ｘｉｍを出力するようになっている。
【００２６】
また、第２の適応フィルタ４ｂは、第１のミキサ回路２ａで混合された混合信号の直交成分の信号Ｑ（１）が入力される。この第２の適応フィルタ４ｂは、該設定されたフィルタ係数に応じて、入力されたこの信号Ｑ（１）をフィルタリング（等化）し、得られた信号ｘｑｍを出力するようになっている。
【００２７】
また、第３の適応フィルタ４ｃは、第２のミキサ回路２ｂで混合された混合信号の同相成分の信号Ｉ（２）が入力される。この第３の適応フィルタ４ｃは、該設定されたフィルタ係数に応じて、入力されたこの信号Ｉ（２）をフィルタリング（等化）し、得られた信号ｘｉｓを出力するようになっている。
【００２８】
また、第４の適応フィルタ４ｄは、第２のミキサ回路２ｂで混合された混合信号の直交成分の信号Ｑ（２）が入力される。この第４の適応フィルタ４ｄは、該設定されたフィルタ係数に応じて、入力されたこの信号Ｑ（２）をフィルタリング（等化）し、得られた信号ｘｑｓを出力するようになっている。
【００２９】
このように、ＣＭＡ等化装置１００には、適応フィルタが複数設けられている。
【００３０】
ここで、例えば、図２に示すように、第１の適応フィルタ４ａは、ｎ個の遅延器（第１〜第ｎの遅延器４ａ１〜４ａｎ）と、ｎ個の可変乗算器（第１〜第ｎの可変乗算器４ａ１ｘ〜４ａｎｘ）と、加算器４ａｙと、を有する。
【００３１】
第１の遅延器４ａ１は、第１のミキサ回路２ａから出力された信号の該同相成分の信号Ｉ（１）が入力され、この入力された信号を遅延させて出力するようになっている。そして、第１の可変乗算器４ａ１ｘは、第１の遅延器４ａ１が出力した信号ｘｉｍ（１）に第１のフィルタ係数Ｃｉｍ（１）を乗算して出力するようになっている。
【００３２】
また、第２の遅延器４ａ２は、第１の遅延器４ａ１が出力した信号が入力され、入力された信号を遅延させて出力するようになっている。そして、第２の可変乗算器４ａ２ｘは、第２の遅延器４ａ２が出力した信号ｘｉｍ（２）に第２のフィルタ係数Ｃｉｍ（２）を乗算して出力するようになっている。
【００３３】
また、第ｎ−１の遅延器４ａ（ｎ−１）は、第ｎ−２の遅延器（図示せず）が出力した信号が入力され、入力された信号を遅延させて出力するようになっている。そして、第ｎ−１の可変乗算器４ａ（ｎ−１）ｘは、第ｎ−１の遅延器４ａ（ｎ−１）が出力した信号ｘｉｍ（ｎ−１）に第（ｎ−１）のフィルタ係数Ｃｉｍ（ｎ−１）を乗算して出力するようになっている。
【００３４】
また、第ｎの遅延器４ａｎは、第ｎ−１の遅延器４ａ（ｎ−１）が出力した信号が入力され、入力された信号を遅延させて出力するようになっている。そして、第ｎの可変乗算器４ａｎｘは、第ｎの遅延器４ａｎが出力した信号ｘｉｍ（ｎ）に第ｎのフィルタ係数Ｃｉｍ（ｎ）を乗算して出力するようになっている。
【００３５】
加算器４ａｙは、第１ないし第ｎの可変乗算器４ａ１〜４ａｎの出力を加算し、この加算に基づいて得られた信号を該信号ｘｉｍとして、出力計算部５に出力するようになっている。
【００３６】
例えば、第１の適応フィルタ４ａから出力される信号ｘｉｍは、式（１）のように表される。なお、式（１）において、ｘｉｍ（ｊ）は、第１の適応フィルタ４ａの第ｊの遅延器から出力される信号であり、Ｃｉｍ（ｊ）は、該第ｊの遅延器のフィルタ係数である（１≦ｊ≦ｎ）。  
ｘｉｍ＝Σｘｉｍ（ｊ）×Ｃｉｍ（ｊ）・・・（１）
【００３７】
なお、他の第２〜第４の適応フィルタ４ｂ〜４ｄも、第１の適応フィルタ４ａと同様の構成を有し、式（１）と同様に表される信号ｘｑｍ、ｘｉｓ、ｘｑｓを出力する。
【００３８】
出力計算部５は、ＣＭＡ方式により、第１ないし第４の適応フィルタ４ａ〜４ｄから出力された信号ｘｉｍ、ｘｑｍ、ｘｉｓ、ｘｑｓを演算し、得られた出力信号（等化信号）Ｉ、Ｑを第１、第２の出力端子１０ａ、１０ｂから出力するようになっている。
【００３９】
例えば、出力計算部５から出力される出力信号Ｉ、Ｑは、式（２）、（３）のように表される。
Ｉ＝ｘｉｍ＋ｘｑｍ＋ｘｉｓ＋ｘｑｓ・・・（２）
Ｑ＝−ｘｉｍ＋ｘｑｍ−ｘｉｓ＋ｘｑｓ・・・（３）
【００４０】
このように、ＣＭＡ等化装置１００は、ミキサ回路から出力された信号を等化した等化信号を出力するようになっている。
【００４１】
また、誤差計算部６は、ＣＭＡ方式により、目標値ｔａｒｇｅｔに対する出力信号Ｉ、Ｑの誤差を計算し、計算結果である誤差値Ｅを出力する。
【００４２】
例えば、誤差計算部６は、先ず、式（４）、（５）のように、ｅｒｒｏｒＩ、ｅｒｒｏｒＱを算出し、これらの値に基づいて、平均二乗誤差（ＭＳＥ：Ｍｅａｎ  Ｓｑｕａｒｅ  Ｅｒｒｏｒ）を、式（６）のように求める。本実施例では、このＭＳＥを既述の誤差値Ｅとして用いる。
【００４３】
なお、式（４）に示すｅｒｒｏｒＩまたは式（５）に示すｅｒｒｏｒＱを、誤差値Ｅとして用いてもよい。
ｅｒｒｏｒＩ＝｛（Ｉ２＋Ｑ２）−ｔａｒｇｅｔ｝×Ｉ・・・（４）
ｅｒｒｏｒＱ＝｛（Ｉ２＋Ｑ２）−ｔａｒｇｅｔ｝×Ｑ・・・（５）
ＭＳＥ＝ｅｒｒｏｒＩ２＋ｅｒｒｏｒＱ２・・・（６）
【００４４】
カウンタ７は、誤差値Ｅがしきい値Ｖｔｈ以上である期間を積算し、この積算値から誤差値Ｅがしきい値Ｖｔｈ未満である期間を減算することにより、カウント値Ｎを得るようになっている。そして、このカウンタ７は、このカウント値Ｎを逐次出力するようになっている。
【００４５】
係数計算部９は、誤差値Ｅに基づいてフィルタ係数を計算して出力し、または、フィルタ係数を上限値に設定して出力するようになっている。
【００４６】
例えば、係数計算部９は、第１の適応フィルタ４ａの第ｊの可変乗算器のフィルタ係数Ｃｉｍ（ｊ）を、式（７）のように算出する。なお、ｘｉｍ（ｊ）は、第１の適応フィルタ４ａの第ｊの遅延器から出力される信号であり、ｘｑｍ（ｊ）は、第２の適応フィルタ４ｂの第ｊの遅延器から出力される信号である。
Ｃｉｍ（ｊ）＝ｅｒｒｏｒＩ×ｘｉｍ（ｊ）＋ｅｒｒｏｒＱ×ｘｑｍ（ｊ）・・・（７）
【００４７】
また、係数計算部９は、第２の適応フィルタ４ｂの第ｊの可変乗算器のフィルタ係数Ｃｑｍ（ｊ）を、式（８）のように算出する。
Ｃｑｍ（ｊ）＝ｅｒｒｏｒＩ×ｘｑｍ（ｊ）−ｅｒｒｏｒＱ×ｘｉｍ（ｊ）・・・（８）
【００４８】
また、係数計算部９は、第３の適応フィルタ４ｃの第ｊの可変乗算器のフィルタ係数Ｃｉｓ（ｊ）を、式（９）のように算出する。なお、ｘｉｓ（ｊ）は、第３の適応フィルタ４ｃの第ｊの遅延器から出力される信号であり、ｘｑｓ（ｊ）は、第４の適応フィルタ４ｄの第ｊの遅延器から出力される信号である。
Ｃｉｓ（ｊ）＝ｅｒｒｏｒＩ×ｘｉｓ（ｊ）＋ｅｒｒｏｒＱ×ｘｑｓ（ｊ）・・・（９）
【００４９】
また、係数計算部９は、第４の適応フィルタ４ｄの第ｊの可変乗算器のフィルタ係数Ｃｑｓ（ｊ）を、式（１０）のように算出する。
Ｃｑｓ（ｊ）＝ｅｒｒｏｒＩ×ｘｑｓ（ｊ）−ｅｒｒｏｒＱ×ｘｉｓ（ｊ）・・・（１０）
【００５０】
また、制御部８は、カウント値Ｎおよび誤差値Ｅに基づいて、係数計算部９を制御することにより第１ないし第４の適応フィルタ４ａ〜４ｄのフィルタ係数を制御するようになっている。
【００５１】
ここで、以上のような構成を有するＣＭＡ等化装置１００の動作の一例について説明する。図３は、図２に示すＣＭＡ等化装置１００の動作と、誤差値およびカウント値との関係を示す図である。
【００５２】
図３に示すように、制御部８は、誤差値Ｅがしきい値Ｖｔｈ未満であり、カウント値Ｎが第１の規定値ＶＩＬ未満である場合には、係数計算部９に出力するフラグ信号“ｆｒｅｅ  ｆｌａｇ”を“Ｌｏｗ”レベルから“Ｈｉｇｈ”レベルにする（フリー期間、時間ｔ０〜ｔ１、ｔ２〜ｔ３、ｔ５〜）。
【００５３】
すなわち、制御部８は、誤差値Ｅがしきい値Ｖｔｈ未満であり、カウント値Ｎが第１の規定値ＶＩＬ未満である場合には、係数計算部９により誤差値Ｅに基づいてフィルタ係数を更新する。
【００５４】
このように、このフリー期間は、ＣＭＡ等化装置１００が、適応等化動作に応じてフィルタ係数の更新を行う通常動作の期間である。
【００５５】
また、図３に示すように、制御部８は、誤差値Ｅがしきい値Ｖｔｈ以上であり、カウント値Ｎが第１の規定値ＶＩＬよりも大きい第２の規定値ＶＩＨ未満である場合（時間ｔ１）には、係数計算部９に出力するフラグ信号“ｈｏｌｄ  ｆｌａｇ”を“Ｌｏｗ”レベルから“Ｈｉｇｈ”レベルにする（ホールド期間、時間ｔ１〜ｔ２、ｔ３〜ｔ４）。
【００５６】
すなわち、制御部８は、誤差値Ｅがしきい値Ｖｔｈ以上であり、カウント値Ｎが第１の規定値ＶＩＬよりも大きい第２の規定値ＶＩＨ未満である場合には、係数計算部９によるフィルタ係数の更新を停止する。
【００５７】
このように、このホールド期間は、ＣＭＡ等化装置１００が、インパルス性の強電界が入力信号に印加されたと判断し、フィルタ係数の更新を行わない期間である。
【００５８】
なお、ＣＭＡ等化装置１００は、カウント値Ｎが第２の規定値ＶＩＨに達するまでに、誤差値Ｅがしきい値Ｖｔｈを下回った場合には、インパルス性の電界が入力信号に印加されていたものと判断し、既述の通常動作に戻る（時間ｔ２）。このとき、入力信号に印加される電界も元の状態に戻っているため、ＣＭＡ等化装置１００は、何事もなく元の状態に戻ることができる。
【００５９】
また、図３に示すように、制御部８は、誤差値Ｅがしきい値Ｖｔｈ以上の状態で、カウント値Ｎが第２の規定値ＶＩＨ以上になった場合（時間ｔ４）には、係数計算部９に出力するフラグ信号“ｈｏｌｄ  ｆｌａｇ”を“Ｌｏｗ”レベルから“Ｈｉｇｈ”レベルにする（リミット期間、時間ｔ４〜ｔ５）。
【００６０】
すなわち、制御部８は、誤差値Ｅがしきい値Ｖｔｈ以上の状態で、カウント値Ｎが第２の規定値ＶＩＨ以上になった場合には、カウント値Ｎが第１の規定値ＶＩＬ未満になるまで、係数計算部９によりフィルタ係数を上限値に設定する。
【００６１】
このように、このリミット期間は、ＣＭＡ等化装置１００が、定常的な強電界が入力信号に印加されたと判断し、フィルタ係数を上限値で制限する期間である。
【００６２】
これにより、出力信号が強制的に収束する方向に向かう。これにより、誤差値Ｅが減少ししきい値Ｖｔｈ未満になると、ＣＭＡ等化装置１００は、通常動作に再度戻る（時間ｔ５）。
【００６３】
なお、本実施例（図３）では、第２の規定値ＶＩＨは、カウンタ７のカウント値の上限であるものとしているが、上限でなくてもよい。
【００６４】
以上のように、ＣＭＡ等化装置１００は、電界の状態に応じて最適な制御法に自動的に切り替えることで、出力信号の発散を抑制するとともに、適応等化動作への復帰を早くすることが可能になる。
【００６５】
以上のように、本実施例に係るＣＭＡ等化装置によれば、より適切に出力信号の発散を抑制することができる。
【図面の簡単な説明】
【００６６】
【図１Ａ】入力信号にインパルス性のノイズ（強電界）が印加された場合の一例を示す図である。
【図１Ｂ】入力信号に定常的なノイズ（強電界）が印加された場合の一例を示す図である。
【図２】本発明の一態様である実施例１に係るＣＭＡ等化装置１００を含むＣＭＡ等化システム１０００の構成の一例を示す図である。
【図３】図２に示すＣＭＡ等化装置１００の動作と、誤差値およびカウント値との関係を示す図である。
【符号の説明】
【００６７】
１ａ  第１のアンテナ
１ｂ  第２のアンテナ
２ａ  第１のミキサ回路  
２ｂ  第２のミキサ回路
３ａ  第１の入力端子
３ｂ  第２の入力端子
３ｃ  第３の入力端子
３ｄ  第４の入力端子
４ａ  第１の適応フィルタ
４ａ１  第１の遅延器４ａ１
４ａ２  第２の遅延器４ａ２
４ａ（ｎ−１）  第ｎ−１の遅延器
４ａｎ  第ｎの遅延器
４ａ１ｘ  第１の可変乗算器
４ａ２ｘ  第２の可変乗算器
４ａ（ｎ−１）ｘ  第ｎ−１の可変乗算器
４ａｎｘ  第ｎの可変乗算器
４ａｙ  加算器
４ｂ  第２の適応フィルタ
４ｃ  第３の適応フィルタ
４ｄ  第４の適応フィルタ
５  出力計算部
６  誤差計算部
７  カウンタ
８  制御部
９  係数計算部
１０ａ  第１の出力端子
１０ｂ  第２の出力端子
１００  ＣＭＡ等化装置
１０００  ＣＭＡ等化システム
【図１Ａ】
2010056662.tif 000003
【図１Ｂ】
2010056662.tif 000004
【図２】
2010056662.tif 000005
【図３】
2010056662.tif 000006